(57)【要約】【課題】複数の端子に分割転送された高解像度の画像を処理できない表示装置において、表示画像を拡大した場合でも画質の低下を抑制する。【解決手段】本発明の表示制御装置は、１つの元画像を構成する複数の画像データを複数の端子から取得する取得手段と、前記元画像のうち表示手段に表示する領域の位置と前記領域を表示する際の表示倍率とをユーザから受け付ける受付手段と、前記複数の画像データのうち少なくとも１つ以上の画像データを用いて前記表示用画像を生成する画像生成手段と、を有し、前記画像生成手段は、前記位置および前記表示倍率に基づいて、表示用画像の生成に用いる画像データ、および当該画像データから取得する取得領域を決定する。【選択図】図１
2020072331.tif 000002
【特許請求の範囲】
【請求項１】
１つの元画像を構成する複数の画像データを複数の端子から取得する取得手段と、
前記元画像のうち表示手段に表示する領域の位置と前記領域を表示する際の表示倍率とをユーザから受け付ける受付手段と、
前記複数の画像データのうち少なくとも１つ以上の画像データを用いて前記表示用画像を生成する画像生成手段と、
を有し、
前記画像生成手段は、前記位置および前記表示倍率に基づいて、表示用画像の生成に用いる画像データ、および当該画像データから取得する取得領域を決定する、
ことを特徴とする表示制御装置。
【請求項２】
前記複数の画像データは、前記元画像を所定の画素ごとにサンプリングした複数の画像データである、
ことを特徴とする請求項１に記載の表示制御装置。
【請求項３】
前記画像生成手段は、
前記表示倍率が所定の値より小さい場合は、前記複数の画像データのうち１つの画像データを用いて前記表示用画像を生成し、
前記表示倍率が前記所定の値より大きい場合は、前記複数の画像データすべてを用いて前記表示用画像を生成する、
ことを特徴とする請求項２に記載の表示制御装置。
【請求項４】
前記所定の値は、前記画像生成手段が生成可能な画像サイズと前記表示手段の画面解像度との比に応じた値である、
ことを特徴とする請求項３に記載の表示制御装置。
【請求項５】
前記画像生成手段が生成可能な画像サイズは、前記表示手段の画面解像度と等しい、
ことを特徴とする請求項４に記載の表示制御装置。
【請求項６】
前記画像生成手段が生成可能な画像サイズは、前記表示手段の画面解像度よりも大きい、
ことを特徴とする請求項４に記載の表示制御装置。
【請求項７】
前記表示用画像を前記画面解像度に縮小する変換手段をさらに有する、
ことを特徴とする請求項６に記載の表示制御装置。
【請求項８】
前記画像生成手段は、前記表示倍率が前記所定の値より大きい場合は、前記位置に基づいて前記取得領域を端子ごとに決定し、かつ前記位置に基づいて前記表示用画像を生成する際の画素配列を決定する、
ことを特徴とする請求項３から７のいずれか１項に記載の表示制御装置。
【請求項９】
前記画像データは、前記元画像を複数の領域に分割した画像データである、
ことを特徴とする請求項１に記載の表示制御装置。
【請求項１０】
前記画像生成手段は、
前記複数の画像データのそれぞれに対して、当該画像データを構成する複数のサブ画像データであって、当該画像データを所定の画素ごとにサンプリングした複数のサブ画像データを生成し、
前記表示倍率が前記表示用画像の解像度と前記表示手段の画面解像度とが等しくなる
ときの所定の値より小さい場合は、前記複数の画像データのそれぞれに対応するサブ画像データを用いて前記表示用画像を生成し、
前記表示倍率が前記所定の値より大きい場合は、前記複数の画像データのうち１つ以上の画像データを用いて前記表示用画像を生成する、
ことを特徴とする請求項９に記載の表示制御装置。
【請求項１１】
前記取得手段は、４つの端子のそれぞれから前記画像データを取得する、
ことを特徴とする請求項１から１０のいずれか１項に記載の表示制御装置。
【請求項１２】
前記元画像は、解像度が７６８０×４３２０である８Ｋ画像であって、
前記画像データは、解像度が３８４０×２１６０である４Ｋ画像である、
ことを特徴とする請求項１から１１のいずれか１項に記載の表示制御装置。
【請求項１３】
元画像の分割方式または受信信号の規格を含む信号情報を取得する信号情報取得手段をさらに有する、
ことを特徴とする請求項１から１２のいずれか１項に記載の表示制御装置。
【請求項１４】
前記信号情報には、前記分割方式がＳＱＤ（Ｓｑｕａｒｅ  Ｄｉｖｉｓｉｏｎ）方式であることを示す情報が含まれる、
ことを特徴とする請求項１３に記載の表示制御装置。
【請求項１５】
前記信号情報には、前記分割方式が２ＳＩ（２  Ｓａｍｐｌｅ  Ｉｎｔｅｒｌｅａｖｅ）方式であることを示す情報が含まれる、
ことを特徴とする請求項１３に記載の表示制御装置。
【請求項１６】
前記信号情報には、前記受信信号の規格がＱｕａｄ−Ｌｉｎｋ  １２Ｇ−ＳＤＩであることを示す情報が含まれる、
ことを特徴とする請求項１３から１５のいずれか１項に記載の表示制御装置。
【請求項１７】
請求項１から１６のいずれか１項に記載の表示制御装置と、
前記表示用画像を表示する表示手段と、
を有することを特徴とする表示装置。
【請求項１８】
請求項１から１６のいずれか１項に記載の表示制御装置と、
複数の表示手段と、
を有することを特徴とする表示システムであって、
前記表示制御装置は、前記複数の表示手段の配置をユーザから受け付ける配置設定手段をさらに有し、
前記受付手段は、前記配置に基づいて前記位置を決定する、
ことを特徴とする表示システム。
【請求項１９】
１つの元画像を構成する複数の画像データを複数の端子から取得する取得ステップと、
前記元画像のうち表示手段に表示する領域の位置と前記領域を表示する際の表示倍率とをユーザから受け付ける受付ステップと、
前記複数の画像データのうち少なくとも１つ以上の画像データを用いて前記表示用画像を生成する画像生成ステップと、
を有し、
前記画像生成ステップでは、前記位置および前記表示倍率に基づいて、表示用画像の生成に用いる画像データ、および当該画像データから取得する取得領域を決定する、
ことを特徴とする表示装置の制御方法。
【請求項２０】
コンピュータを、請求項１から１６のいずれか１項に記載された表示制御装置の各手段として機能させるためのプログラム。
【請求項２１】
請求項２０に記載のプログラムを記憶するコンピュータが読み取り可能な記憶媒体。
【発明の詳細な説明】
【技術分野】
【０００１】
本発明は、表示制御装置、表示装置、表示システム、表示装置の制御方法、プログラム、および記憶媒体に関する。
【背景技術】
【０００２】
近年、高解像度の画像（例えば、８Ｋ画像）を撮像可能な撮像装置が開発されている。このような高解像度の画像を表示装置等に伝送する規格として、例えば、映像技術に関する標準規格であるＳＭＰＴＥ  ＳＴ  ２０８２では、Ｑｕａｄ−Ｌｉｎｋ  １２Ｇ−ＳＤＩが定められている。Ｑｕａｄ−Ｌｉｎｋ  １２Ｇ−ＳＤＩでは、８Ｋ画像を４つに分割された４Ｋ画像をそれぞれ４本の端子（ケーブル）を用いて伝送している。
【０００３】
ここで、上述の高解像度の画像を受信した表示装置が高解像度の画像処理に対応していない表示装置（例えば、４Ｋ表示用の表示装置）である場合がある。この場合、４つの端子のうち１つの端子を選択して、当該端子によって伝送される画像（例えば、４Ｋ画像）を表示している。
【０００４】
複数の端子によって伝送される信号のうち、処理能力や表示能力に応じていずれかの端子を選択し、選択された端子の信号を処理する技術が知られている。例えば、特許文献１では、分割転送された高フレームレートの画像を表示可能なフレームレートに応じていずれかの端子を選択する技術が開示する。
【先行技術文献】
【特許文献】
【０００５】
【特許文献１】特開２０１８−９３３０５号公報
【発明の概要】
【発明が解決しようとする課題】
【０００６】
しかし、高解像度の画像を受信した表示装置がいずれかの端子を選んで画像を表示した場合、拡大表示を行うと元の高解像度の映像と比べて画質が低下してしまう。
【０００７】
そこで、本発明では、複数の端子に分割転送された高解像度の画像を処理できない表示装置において、表示画像を拡大した場合でも画質の低下を抑制する技術を提供することを目的とする。
【課題を解決するための手段】
【０００８】
本発明の一態様は、
１つの元画像を構成する複数の画像データを複数の端子から取得する取得手段と、
前記元画像のうち表示手段に表示する領域の位置と前記領域を表示する際の表示倍率とをユーザから受け付ける受付手段と、
前記複数の画像データのうち少なくとも１つ以上の画像データを用いて前記表示用画像を生成する画像生成手段と、
を有し、
前記画像生成手段は、前記位置および前記表示倍率に基づいて、表示用画像の生成に用いる画像データ、および当該画像データから取得する取得領域を決定する、
ことを特徴とする表示制御装置である。
【０００９】
本発明の一態様は、
上記の表示制御装置と、
前記表示用画像を表示する表示手段と、
を有することを特徴とする表示装置である。
【００１０】
本発明の一態様は、
上記の表示制御装置と、
複数の表示手段と、
を有することを特徴とする表示システムであって、
前記表示制御装置は、前記複数の表示手段の配置をユーザから受け付ける配置設定手段をさらに有し、
前記受付手段は、前記配置に基づいて前記位置を決定する、
ことを特徴とする表示システムである。
【００１１】
本発明の一態様は、
１つの元画像を構成する複数の画像データを複数の端子から取得する取得ステップと、
前記元画像のうち表示手段に表示する領域の位置と前記領域を表示する際の表示倍率とをユーザから受け付ける受付ステップと、
前記複数の画像データのうち少なくとも１つ以上の画像データを用いて前記表示用画像を生成する画像生成ステップと、
を有し、
前記画像生成ステップでは、前記位置および前記表示倍率に基づいて、表示用画像の生成に用いる画像データ、および当該画像データから取得する取得領域を決定する、
ことを特徴とする表示装置の制御方法である。
【００１２】
本発明の一態様は、コンピュータを、上記の投影装置の各手段として機能させるためのプログラムである。
【００１３】
本発明の一態様は、上記プログラムを記憶するコンピュータが読み取り可能な記憶媒体である。
【発明の効果】
【００１４】
本発明によれば、複数の端子に分割転送された高解像度の画像を処理できない表示装置において、表示画像を拡大した場合でも画質の低下を抑制することができる。
【図面の簡単な説明】
【００１５】
【図１】実施形態１に係る表示装置の機能ブロック図
【図２Ａ】実施形態１に係る画像生成方法の一例を示す図
【図２Ｂ】実施形態１に係る画像生成方法の一例を示す図
【図２Ｃ】実施形態１に係る画像生成方法の一例を示す図
【図３】実施形態１に係る画像処理方法の一例を示す図
【図４】実施形態１に係る表示装置における処理の一例を示すフローチャート
【図５】実施形態２に係る表示装置の機能ブロック図
【図６Ａ】実施形態２に係る画像生成方法の一例を示す図
【図６Ｂ】実施形態２に係る画像生成方法の一例を示す図
【図６Ｃ】実施形態２に係る画像生成方法の一例を示す図
【図６Ｄ】実施形態２に係る画像生成方法の一例を示す図
【図７】実施形態３に係る表示装置の機能ブロック図
【図８】実施形態３に係る画像表示の一例を示す図
【図９】実施形態３に係る表示装置における処理の一例を示すフローチャート
【図１０】実施形態４に係る表示装置の機能ブロック図
【図１１】実施形態４に係る画像生成方法の一例を示す図
【図１２】実施形態４に係る画像処理方法の一例を示す図
【図１３】実施形態４に係る表示装置における処理の一例を示すフローチャート
【図１４】実施形態５に係る表示装置の機能ブロック図
【図１５Ａ】実施形態５に係る画像生成方法の一例を示す図
【図１５Ｂ】実施形態５に係る画像生成方法の一例を示す図
【図１５Ｃ】実施形態５に係る画像生成方法の一例を示す図
【図１６】実施形態５に係る表示装置における処理の一例を示すフローチャート
【図１７】実施形態に係る画像の伝送方法を示す図
【発明を実施するための形態】
【００１６】
（画像の伝送方法）
最初に、高解像度の画像を伝送する一般的な方法について説明する。図１７Ａは、高解像度の画像（静止画、動画を含む）を撮像する撮像装置１７１と、表示装置１７２とを示す図である。撮像装置１７１と表示装置１７２とは４つの端子１７３（ケーブル）で接続されている。高解像度の画像を伝送する規格として、例えば、映像技術に関する標準規格であるＳＭＰＴＥ  ＳＴ  ２０８２では、Ｑｕａｄ−Ｌｉｎｋ  １２Ｇ−ＳＤＩが定められている。Ｑｕａｄ−Ｌｉｎｋ  １２Ｇ−ＳＤＩでは、８Ｋ画像（８Ｋ映像）を４つに分割した４Ｋ画像をそれぞれ４本の端子（ケーブル）を用いて伝送することができる。
【００１７】
高解像度の画像を画素単位で４つに分割する方法として、「２ＳＩ（２  Ｓａｍｐｌｅ
Ｉｎｔｅｒｌｅａｖｅ）方式」または「ＳＱＤ（Ｓｑｕａｒｅ  Ｄｉｖｉｓｉｏｎ）方式」が主に用いられている。
【００１８】
図１７Ｂは、２ＳＩ方式における分割処理の概念図を示す。２ＳＩ方式は、元画像を所定の画素ごとにサンプリングした（間引いた）画像を生成する分割方式である。具体的には、奇数行から２画素ごとに抽出して画像１および画像２を生成し、偶数行から２画素ごとに抽出して画像３および画像４を生成する。図１７Ｃは、ＳＱＤ方式における分割処理の概念図を示す。ＳＱＤ方式は、元画像を上下左右に４つに等分した画像を生成する分割方式である。
【００１９】
上述の２ＳＩ方式およびＳＱＤ方式は、いずれも１つの元画像を構成する複数の画像を生成する分割方式である。また、いずれかの方式を用いて４つに分割された信号（画像１〜４）は端子１〜端子４を通じてそれぞれ伝送される。なお、ＳＱＤ方式では、元画像を復元するためには画像１〜画像４の４つの画像すべてを取得する必要がある。一方、２ＳＩ方式では、画像１〜画像４のうちいずれか１つの画像のみでも（低解像ではあるが）全体を復元することができる。
【００２０】
（実施形態１）
＜概要＞
以下、本実施形態に係る表示装置について説明する。本実施形態に係る表示装置の画面解像度は３８４０×２１６０（４Ｋ）であって、当該表示装置のメモリが処理可能な画像サイズは４Ｋである例について説明する。また、当該表示装置に入力される元画像の解像度が７６８０×４３２０（８Ｋ）である。本実施形態に係る信号の伝送は、上述のＱｕａｄ−Ｌｉｎｋ  １２Ｇ−ＳＤＩに基づいて行われる。表示装置に入力される画像データは、上述の２ＳＩ方式によって画素単位に分割された４つの画像データ（信号）が４つのケーブルを介して伝送される。本実施形態では、ユーザの設定した表示倍率に基づいて、上記４つ画像データのうち表示用の画像として用いる画像データを選択する。以下、本実施
形態に係る表示装置の全体構成、処理内容について順に説明する。
【００２１】
＜全体構成＞
図１は、本実施形態に係る表示装置１００の機能ブロック図である。表示装置１００は、演算装置（プロセッサ）、メモリ、記憶装置、入出力装置等を含む情報処理装置（コンピュータ）でもある。記憶装置に格納されたプログラムを表示装置１００が実行することで、表示装置１００の後述する機能が提供される。それらの機能の一部または全部は、ＡＳＩＣやＦＰＧＡなどの専用の論理回路により実現されてもよい。
【００２２】
入力部１０１ａ〜１０１ｄは、端子１〜端子４を通して伝送された複数の画像データを受信する機能部である。また、入力部１０１ａ〜１０１ｄは、受信した複数の画像データを後述する信号情報取得部１０２、画像生成部１０４に出力する。なお、本実施形態では、各入力部が受信する信号の規格（種類）が１２Ｇ−ＳＤＩ信号である例について説明する。１２Ｇ−ＳＤＩ信号とは、画像をディジタル信号に変えて高速に伝送するための技術に関する規格であって、１２Ｇｂｐｓの伝送速度を有するケーブルを用いて信号が伝送される。受信する信号の規格は特に限定されず、例えば、３Ｇ−ＳＤＩ信号や６Ｇ−ＳＤＩ信号を受信しても良い。
【００２３】
信号情報取得部１０２は、入力部１０１ａ〜１０１ｄから出力された信号（ＳＤＩ信号）の信号情報を取得する機能部である。また、信号情報取得部１０２は、取得した信号情報を画像生成部１０４に出力する。信号情報は、受信信号の規格等の伝送方式（Ｑｕａｄ−Ｌｉｎｋ  １２Ｇ−ＳＤＩ等）、受信信号の（元画像の）分割方式（２ＳＩ方式またはＳＱＤ方式等）または解像度などの画像フォーマット等を含む情報である。信号情報取得部１０２は、受信信号の識別情報やペイロードＩＤ等に基づいて信号情報を取得する。
【００２４】
設定部１０３は、表示装置１００に入力された画像である元画像（８Ｋ画像）のうち、後述する表示部１０６に表示する画像である表示用画像（４Ｋ画像）の表示位置および表示倍率の設定をユーザから受け付ける機能部である。ユーザは、例えば、不図示のボタン等を操作することで、上記の表示位置および表示倍率の設定入力を行う。設定部１０３は、入力された設定値を後述する画像生成部１０４および画像処理部１０５に出力する。なお、設定部１０３は、ユーザから各種設定を受け付ける受付部として捉えることもできる。なお、上述の表示位置および表示倍率の設定方法は特に限定されず、例えば、表示装置１００に設けられるタッチパネル（不図示）等をユーザが操作することによって設定されてもよい。
【００２５】
表示位置（位置）とは、元画像のうち表示装置１００に表示する領域の位置である。本実施形態では、元画像における左上の画素を原点とした場合の、表示用画像における左上の画素位置が表示位置として設定される。なお、表示位置は、表示用画像における左上の画素位置に限定されない。例えば、表示用画像におけるその他の頂点の画素位置や中心の画素位置等が表示位置として設定されてもよい。
【００２６】
表示倍率（拡大率）とは、元画像のうち表示装置１００に表示する領域を表示装置１００で表示する際の拡大率である。ここで、表示倍率は長さの比によって定義される。したがって、表示倍率が２倍のときの面積（画素数）は４倍である。本実施形態では、表示倍率の設定として、全体表示（表示倍率０．５倍）、ネイティブ表示（表示倍率１倍）、２倍拡大表示（表示倍率２倍）が選択可能である。全体表示では、入力された８Ｋ画像を４Ｋ解像度で表示部１０６の全体に表示される。ネイティブ表示では、入力された８Ｋ画像のうち４Ｋ解像度で表示可能な一部の範囲（領域）が表示部１０６に表示される。２倍拡大表示では、上記の一部の範囲が２倍に拡大して表示される。
【００２７】
上述のように、表示位置および表示倍率が設定されると、元画像のうち表示装置１００に表示する領域（表示領域）が決定される。これは、表示領域が決定されると、表示位置および表示倍率（画面解像度／表示領域のサイズ）が決定されると捉えることもできる。なお、本実施形態では、ユーザから表示位置が設定されていない場合、元画像の中央部分が表示部１０６の中央に位置するように上記表示位置が初期設定されているものとする。また、ユーザから表示倍率が設定されていない場合は、ネイティブ表示が初期設定されているものとする。
【００２８】
画像生成部１０４は、信号情報取得部１０２から出力された信号情報と、設定部１０３から出力された表示位置および表示倍率に基づいて、入力部１０１ａ〜１０１ｄから出力された画像データ（ＳＤＩ信号）から表示用画像を生成する機能部である。また、画像生成部１０４は、生成された表示用画像を後述する画像処理部１０５に出力する。
【００２９】
本実施形態では、画像生成部１０４は、上記の表示倍率が所定の値Ｔ１より大きい場合（Ｔ１以上の場合）は端子１〜４のすべてを選択して、端子１〜４を通して伝送された画像データ１〜４を用いて表示用画像を生成する。
【００３０】
また、画像生成部１０４は、上記の表示倍率が所定の値Ｔ１より小さい場合（Ｔ１未満の場合）は端子１を選択して、端子１を通して伝送された画像データ１を用いて表示用画像を生成する。この場合、画像生成部１０４は、画像データ１のすべての画像を用いて表示用画像を生成する。なお、上記の表示用画像の生成方法は一例であり、端子２〜４を通して伝送された画像データ２〜４のいずれか１つを選択して表示用画像を生成しても良い。
【００３１】
ここで、所定の値Ｔ１は、画像生成部１０４が生成可能な画像サイズ（４Ｋ）と画面解像度（４Ｋ）との比に応じた値（表示倍率：１倍）である。よって、画像生成部１０４は、ネイティブ表示および２倍拡大表示する場合は画像データ１〜４を用い、全体表示の場合は画像データ１を用いる。
【００３２】
図２Ａは、入力された８Ｋ画像の一例を示す。図２Ｂは、設定された表示倍率が０．５倍であって８Ｋ画像の中央を表示する場合に画像生成部１０４によって生成される表示用画像の一例である。この場合、画像生成部１０４は、端子１〜４のうち端子１を選択して、端子１を通して伝送されたＳＤＩ信号に含まれる画像データ１（４Ｋサブイメージ、２１６０−ｌｉｎｅ  Ｓｕｂ−Ｉｍａｇｅ）を用いて表示用画像を生成する。なお、図２Ａに示す例では、端子１のＳＤＩ信号に含まれる画像データ１を用いて表示用画像を生成しているが、表示用画像に用いる画像データは上記に限定されない。例えば、端子２〜４を通して伝送されたＳＤＩ信号に含まれる画像データ２〜４（４Ｋサブイメージ、２１６０−ｌｉｎｅ  Ｓｕｂ−Ｉｍａｇｅ）のいずれかを用いて表示用画像を生成してもよい。
【００３３】
図２Ｃは、設定された表示倍率が１倍であって８Ｋ画像の中央を表示する場合に画像生成部１０４によって生成される表示用画像の一例である。この場合、画像生成部１０４は、端子１〜４のすべてを選択して、端子１〜４を通して伝送された画像データ１〜４すべてを用いて表示用画像を生成する。具体的には、画像生成部１０４は、画像データ１〜４の左上を原点として、水平画素ｈ、垂直画素ｖの時、（ｈ、ｖ）＝（９６０、５４０）から１９２０×１０８０画素分を画像データ１〜４からそれぞれ抜き出す。そして、画像生成部１０４は、抜き出した各画像データ１〜４の画素を２画素ごとに並べ替えることにより表示用画像（４Ｋ画像）を生成する。
【００３４】
なお、本実施形態において、入力された信号の規格が４端子で１組のＱｕａｄ−Ｌｉｎｋ  １２Ｇ−ＳＤＩではなく別の規格である場合は、いずれかの端子（例えば、端子１）
を選択して４Ｋ画像（４Ｋ映像）を生成する。別の規格とは、例えば、Ｑｕａｄ−Ｌｉｎｋ  ３Ｇ−ＳＤＩ等が挙げられる。
【００３５】
画像処理部１０５は、設定部１０３から出力された表示位置および表示倍率に基づいて、画像生成部１０４から出力された表示用画像に画像処理を施す機能部である。また、画像処理部１０５は、画像処理後の表示用画像を表示部１０６に出力する。本実施形態では、表示位置および表示倍率に基づいて、表示用画像から後述する表示部１０６へ表示するための画像の切り出し処理および拡大処理を行う。具体的には、画像処理部１０５は、ユーザによって入力された表示位置に基づいて表示用画像のうち表示部１０６に表示する領域の切り出し処理を行う。画像処理部１０５は、切り出した画像に対して設定された表示倍率に基づいて拡大処理を行う。
【００３６】
全体表示（表示倍率：０．５倍）の場合、表示用画像の全体を表示部１０６に表示するため、切り出し処理および拡大処理は行われない。また、ネイティブ表示（表示倍率：１倍）の場合も同様に、表示用画像の全体を表示１０６に表示するため、切り出し処理および拡大処理を行われない。２倍拡大表示（表示倍率：２倍）の場合、画像処理部１０５は、表示位置に基づいて表示用画像のうち一部の領域に対する切り出し処理を行う。そして、画像処理部１０５は、切り出した画像（２Ｋ）に対して表示倍率（２倍）に基づいて拡大処理を行うことにより、表示部１０６に表示する画像（４Ｋ画像）を生成する。
【００３７】
図３は、設定された表示倍率が０．５倍（全体表示）、１倍（ネイティブ表示）、または２倍（２倍拡大表示）である場合の表示用画像および画像処理（切り出し処理または拡大処理）後の画像を示す。全体表示およびネイティブ表示の場合、上述の通り切り出し処理および拡大処理は行われない。２倍拡大表示の場合は、表示位置に基づいて切り出し処理が行われる。図３の例では、中心が表示用画像（４Ｋ画像）の中心と一致する領域（２Ｋ画像）に対して切り出し処理が行われている。そして、表示倍率（２倍）に基づいて拡大処理が行われる。なお、画像処理部１０５は、上述した拡大処理の他にも、色変換などの画質調整を行っても良い。
【００３８】
表示部１０６は、画像処理部１０５から出力された表示用画像を画面に表示する。本実施形態では、表示部１０６は、解像度が３８４０×２１６０の４Ｋ画像を表示可能な液晶パネルで構成される。なお、表示部１０６の構成は特に限定されず、例えば、解像度が４０９６×２１６０の画像を表示可能としてもよく、液晶パネルではなくＯＬＥＤパネル等でもよい。
【００３９】
＜処理内容＞
図４は、本実施形態の表示装置１００における処理を示すフローチャートである。Ｓ４０１で、入力部１０１ａ〜１０１ｄは、ＳＤＩ信号を受信する。Ｓ４０２で、信号情報取得部１０２は、受信したＳＤＩ信号から信号情報を取得する。Ｓ４０３で、設定部１０３は、ユーザの操作に基づく表示位置および表示倍率を受け付け、画像生成部１０４および画像処理部１０５に出力する。Ｓ４０４で、画像生成部１０４は信号の規格がＱｕａｄ−Ｌｉｎｋ  １２Ｇ−ＳＤＩであるか否かを判断する。入力信号の規格がＱｕａｄ−Ｌｉｎｋ  １２Ｇ−ＳＤＩである場合（Ｓ４０４−Ｙｅｓ）はＳ４０５の処理へ進み、そうでない場合（Ｓ４０４−Ｎｏ）はＳ４０９の処理へ進む。
【００４０】
Ｓ４０５で、画像生成部１０４は、設定された表示倍率が１倍（所定の値Ｔ１）以上であるか否かを判断する。表示倍率が１倍以上である場合（Ｓ４０５−Ｙｅｓ）はＳ４０６の処理へ進み、そうでない場合（Ｓ４０５−Ｎｏ）はＳ４０７の処理へ進む。
【００４１】
Ｓ４０６で、画像生成部１０４は、４つの端子を選択して、画像データ１〜４のうち一
部の領域（取得領域）をそれぞれ抜き出して４Ｋ画像を生成する。Ｓ４０７で、画像生成部１０４は、１つの端子を選択して４Ｋ画像を生成する。Ｓ４０８で、画像処理部１０５は、入力された表示倍率に対して２を乗じた値を拡大処理の拡大率に設定する。Ｓ４０９で、画像生成部１０４は、１つの端子を選択し、４Ｋ画像を生成する。
【００４２】
Ｓ４１０で、画像処理部１０５は、ユーザによって入力された表示位置および表示倍率に基づいて、入力された表示用画像（４Ｋ画像）に対して切り出し処理または拡大処理を行う。Ｓ４１１で、表示部１０６は、入力された表示用画像を液晶パネルに表示する。
【００４３】
なお、本実施形態では、入力された表示倍率が所定の値より小さい場合として表示倍率０．５のみ設定である例について説明しているが、表示倍率の設定値は上記に限定されない。例えば、表示倍率として０．６７（表示倍率：２／３倍、６Ｋ縮小表示）が設定可能であってもよい。この場合（Ｓ４０５−Ｎｏ）、Ｓ４０７では１つの画像データから表示用画像が生成される。そして、Ｓ４０８では拡大率が４／３（２×２／３）に設定される。さらに、Ｓ４１０では表示領域に対応する領域を切り出し、上記の拡大率で拡大処理が行われる。
【００４４】
＜本実施形態の有利な効果＞
本実施形態では、全体表示の場合は１つの端子を通して伝送された画像データのうち全領域を用いて表示用画像（解像度が４Ｋの画像）を生成する。また、ネイティブ表示や２倍拡大表示の場合は４つの端子を通して伝送された画像データの一部の領域のみを用いて表示用画像を生成する。このようにすることで、画面解像度が４Ｋである表示装置において、Ｑｕａｄ−Ｌｉｎｋ  １２Ｇ−ＳＤＩ規格の伝送方式において、８Ｋ画像が入力された場合に、ネイティブ表示と２倍拡大表示時に画質の劣化を抑えた表示することができる。なお、本実施形態では、端子の番号（１〜４）に基づいて画像データの番号（１〜４）を決定したが、上述の信号情報のうちペイロードＩＤに記載されるＬｉｎｋＮｕｍｂｅｒ（１〜４）に基づいて画像データの番号（１〜４）を決定してもよい。
【００４５】
（実施形態２）
＜概要＞
上述の実施形態では、表示倍率が所定の値Ｔ１以上の場合、４つの端子すべての４Ｋ画像から同一の領域の画素を取得する例について説明した。本実施形態では、８Ｋ画像の分割方式が２ＳＩ方式であることを考慮して、上述の場合に端子ごとに画素を取得する領域を決定する例について説明する。以下、実施形態と同一の機能を有する機能部および処理については、同一の番号を付して説明を省略する。また、本実施形態では、上述の実施形態１と同様、表示装置に入力される信号の規格は、Ｑｕａｄ−Ｌｉｎｋ  １２Ｇ−ＳＤＩである。
【００４６】
＜全体構成＞
図５は、本実施形態に係る表示装置５００の機能ブロック図である。表示装置５００は、実施形態１の表示装置１００における画像生成部１０４の代わりに画像生成部５０４を備える。
【００４７】
画像生成部５０４は、信号情報取得部１０２から出力された信号情報と、設定部１０３から出力された表示倍率および表示位置に基づいて、入力部１０１ａ〜１０１ｄから出力された画像データから表示用画像を生成する機能部である。また、画像生成部５０４は、生成された表示用画像を画像処理部１０５に出力する。
【００４８】
本実施形態では、表示倍率がネイティブ表示または２倍拡大表示の場合、画像生成部５０４は設定された表示位置に基づいて元画像中の表示位置に最も近い領域を画像データ１
〜４からそれぞれ取得する。すなわち、画像生成部５０４は、元画像のうち表示部１０６に表示する領域内の画素を含むように画像データ１〜４から取得する領域を決定する。また、画像生成部５０４は、８Ｋ画像の表示位置に基づいて表示用画像の画素配列を決定する。
【００４９】
なお、ユーザによって設定入力された表示倍率が０．５（全体表示）の場合における表示用画像の生成方法は、実施形態１と同様であるため説明を省略する。また、表示装置５００に入力される信号の規格がＱｕａｄ−Ｌｉｎｋ  １２Ｇ−ＳＤＩではない場合における表示用画像の生成方法も実施形態１と同様であるため説明を省略する。
【００５０】
図６Ａ〜図６Ｄは、本実施形態に係る画像生成部５０４によって生成される表示用画像の一例を示す図である。図６Ａにおいて、画像６００は８Ｋ画像を示す。領域６０１は中心が８Ｋ画像の中心と一致する４Ｋ画像を示す。領域６０２は、上記の領域６０１から水平方向に＋１画素、垂直方向に＋１画素移動した領域を示す。領域６０２の左上の頂点座標は（１９２１，１０８１）である。
【００５１】
図６Ｂは、８Ｋ画像における領域６０２の左上の座標を表示位置とした場合の画像データ１〜４および表示用画像を示す。各画像データ１〜４から抜き出す領域は、それぞれ（ｘ，ｙ）＝（９６１，５４１）、（９６０，５４１）、（９６１，５４０）、（９６０，５４０）から１９２０×１０８０画素分である（図６Ｂの斜線部）。
【００５２】
また、図６Ａおよび図６Ｂの場合、表示用画像における各画像データ１〜４の画素配列は、１（奇数）段目は画像データ「３、４、４、３、３、４、４、３、・・・」の画素が順に配置される。また、２（偶数）段目は画像データ「１、２、２、１、１、２、２、１、・・・」の画素が順に配置される。
【００５３】
また、図６Ｃの領域６０３は、上記の領域６０１から水平方向に＋１画素、垂直方向に＋２画素移動した領域を示す。領域６０３の左上の頂点座標は（１９２１，１０８２）である。図６Ｄは、８Ｋ画像における領域６０３の左上の座標を表示位置とした場合の画像データ１〜４および表示用画像を示す。各画像データ１〜４から抜き出す領域は、それぞれ（ｘ，ｙ）＝（９６１，５４１）、（９６０，５４１）、（９６１，５４１）（９６０，５４１）から１９２０×１０８０画素分である（図６Ｄの斜線部）。
【００５４】
また、図６Ｃおよび図６Ｄの場合、表示用画像における各画像データ１〜４の画素配列は、１（奇数）段目の配列は画像データ「１、２、２、１、１、２、２、１、・・・」の画素が順に配置される。そして、２（偶数）段目の配列は画像データ「３、４、４、３、３、４、４、３、・・・」の画素が順に配置される。
【００５５】
以上のように、本実施形態では、画面解像度が４Ｋである表示装置において、８Ｋ画像を入力した場合に、画像データ１〜４から抜き出す領域（取得領域）を端子ごとに決定し、かつ表示用画像の画素配列を上述の通りとする。このようにすることで、元画像（８Ｋ画像）の画素配列に則した画素配列の表示用画像を生成することができる。なお、上述した画像データ１〜４の切り出し位置および表示用画像の画素配列は一例であり、例えば、画像データ１〜４が２ＳＩ方式ではなく１画素ごとに分割した画像である場合は、各画像データ１〜４の画素配列を考慮して表示用画像を生成すればよい。なお、元の８Ｋ画像と画素単位に分割された各画像データとの画素の位置関係は信号情報として取得されてもよい。
【００５６】
（実施形態３）
＜概要＞
上述の実施形態では、画面解像度が４Ｋである表示装置（４Ｋ表示装置）を１台用いて、入力された８Ｋ画像を表示する例について説明した。本実施形態では、複数台の表示装置を用いて画像表示を行う表示システム（マルチディスプレイシステム）について説明する。具体的には、４Ｋ表示装置を４台組み合わせて入力された８Ｋ画像を表示する。また、４台のうち１つの表示装置においてユーザによって設定された各表示装置の配置に基づいて、各表示装置における８Ｋ画像の表示位置を決定する。なお、実施形態１と同様の機能部については、同じ番号を付し説明を省略する。
【００５７】
＜全体構成＞
図７Ａは、本実施形態におけるマルチディスプレイシステムにおける４台の表示装置７００ａ〜７００ｄの構成を示す図である。図７Ｂは、各表示装置７００ａ〜７００ｄの機能ブロック図である。各表示装置７００ａ〜７００ｄは、実施形態１の表示装置１００における設定部１０３の代わりに設定部７０３を備える。また各表示装置７００ａ〜７００ｄは、実施形態１の表示装置１００の各機能部に加えて配置設定部７０７および通信部７０８をさらに備える。
【００５８】
配置設定部７０７は、マルチディスプレイシステムにおける表示装置７００ａ〜７００ｄの配置を決定する機能部である。本実施形態では、表示装置７００ａ〜７００ｄに備えられたボタンまたは表示装置７００ａ〜７００ｄに接続されたキーボード等を用いて、ユーザが設定操作を行うことにより表示装置７００ａ〜７００ｄの配置が決定される。配置として、上下左右に４台の表示装置が配置される場合、左上、右上、左下、右下の４つが選択可能であり、それぞれ表示装置７００ａ〜７００ｄに割り当てられる。配置設定部７０７は、決定した表示装置の配置位置を後述する設定部７０３に出力する。
【００５９】
なお、後述する通信部７０８を用いてマルチディスプレイシステムにおける他の表示装置と設定された配置情報の送受信を行ってもよい。この場合、配置情報を受信した表示装置は、当該配置情報に基づいて自機の配置情報を変更する。例えば、送信元で設定された配置情報と自機の配置情報が重複する場合、自機の配置情報を送信元の表示装置における設定前の配置情報と変更する。
【００６０】
通信部７０８は、マルチディスプレイシステムにおける他の表示装置における通信部７０８との間で、各表示装置で設定された表示位置、表示倍率または配置情報等を送受信する機能部である。通信部７０８は、各情報を送信する場合は送信する情報を設定部７０３から取得し、また各種情報を受信する場合は受信した情報を設定部７０３へ出力する。
【００６１】
設定部７０３は、上述の設定部１０３の機能に加えて、ユーザによって設定された表示位置および表示倍率を通信部７０８に出力する機能部である。また、設定部７０３は、配置設定部７０７から出力された配置情報に基づいて、表示位置を算出し、表示位置および表示倍率を画像生成部１０４および画像処理部１０５に出力する。
【００６２】
ここで、本実施形態では、表示倍率はネイティブ表示（表示倍率：１倍）、２倍拡大表示（表示倍率：２倍）が選択可能である。また、本実施形態における表示位置とは、入力された８Ｋ画像において、左上の画素を原点とした場合にマルチディスプレイシステムに表示する画像の左上の画素の位置である。実施形態１の設定部１０３と同様、表示装置７００ａ〜７００ｄに備えられたボタン等を用いたユーザ操作によって表示位置（マルチディスプレイ表示位置）と表示倍率が設定される。通信部７０８を介してマルチディスプレイシステムにおける自機以外の表示装置から表示位置および表示倍率を受信した場合は、当該表示位置および表示倍率を設定する。
【００６３】
また、設定部７０３は、配置設定部７０７から出力された配置情報に基づいて、表示位
置と表示倍率から表示装置それぞれの表示位置である個別表示位置を算出して、画像生成部１０４および画像処理部１０５に出力する。
【００６４】
本実施形態では、マルチディスプレイシステムにおける各表示装置７００ａ〜７００ｄの配置が左上、右上、左下、右下（表示位置１〜４）である例について説明する。ここで、入力された８Ｋ画像において、左上の画素を原点として表示位置を（Ｘ，Ｙ）とすると、表示装置７００ａ〜７００ｄのそれぞれの個別表示位置（ｘ，ｙ）は、以下の式５〜式８で表される。
【数１】
2020072331.tif 000003
【数２】
2020072331.tif 000004
【数３】
2020072331.tif 000005
【数４】
2020072331.tif 000006
ここで、Ｍは表示倍率を示す。また、Ｘｍａｘ、Ｙｍａｘはそれぞれ入力された画像の水平方向、垂直方向の画素数であって、８Ｋ画像の場合はＸｍａｘ＝７６８０、Ｙｍａｘ＝４３２０である。なお、Ｘｍａｘ／Ｍは、８Ｋ画像から取得した領域における水平方向の画素数、Ｙｍａｘ／Ｍは、８Ｋ画像から取得した領域における垂直方向の画素数である。
【００６５】
図８は、８Ｋ画像を本実施形態に係るマルチディスプレイシステムでネイティブ表示する場合の表示例を示す。この場合、表示位置１〜４に対応する表示装置７００ａ〜７００ｄの個別表示位置（ｘ，ｙ）は、それぞれ（０，０）、（３８４０，０）、（０，２１６０）、（３８４０，２１６０）である。また、８Ｋ画像の中心領域を２倍拡大表示する場合は、表示装置７００ａ〜７００ｄの個別表示位置（ｘ，ｙ）は、それぞれ（１９２０，１０８０）、（３８４０，１０８０）、（１９２０，２１６０）、（３８４０，２１６０）である。
【００６６】
＜処理内容＞
図９は、本実施形態における表示装置７００ａ〜７００ｄにおける処理を示すフローチャートである。以下では、表示装置７００ａにおいて配置情報を設定する例について説明するが、表示装置７００ａ〜７００ｄのいずれにおいて配置情報を設定してもよい。
【００６７】
ＳＤＩ信号の受信（Ｓ４０１）、信号情報の取得（Ｓ４０２）は、実施形態１と同様に行われる。Ｓ９０１で、配置設定部７０７は、ユーザ操作に基づいて配置情報を設定する。Ｓ９０２で、表示装置７００ａは、通信部７０８を通じて他の表示装置７００ｂ〜７００ｄからマルチディスプレイシステムにおける表示位置および表示倍率を受信しているか
否かを判断する。
【００６８】
他の表示装置から表示位置および表示倍率を受信している場合（Ｓ９０２−Ｙｅｓ）はＳ９０３の処理へ進み、そうでない場合（Ｓ９０２−Ｎｏ）はＳ９０４の処理へ進む。Ｓ９０３で、設定部７０３は、他の表示装置７００ｂ〜７００ｄのいずれかから受信した表示位置および表示倍率を自機（表示装置７００ａ）に設定する。Ｓ９０４で、設定部７０３は、自機（７００ａ）に対するユーザ操作によって設定された表示位置および表示倍率を自機に設定する。Ｓ９０５で、表示装置７００ａは、通信部７０８を通じて、自機に設定された表示位置および表示倍率を他の表示装置７００ｂ〜７００ｄに送信する。
【００６９】
Ｓ９０６で、設定部７０３は、配置情報、表示位置および表示倍率に基づいて、個別表示位置を設定する。以降の処理（Ｓ４０４，Ｓ４０６，Ｓ４０９〜Ｓ４１１）は、実施形態１と同様のため説明を省略する。
【００７０】
以上のように、配置情報、表示位置および表示倍率に基づいて、個別の表示位置７００ａ〜７００ｄにおける個別表示位置を決定することで、複数台の表示装置を組み合わせて８Ｋ表示を行うマルチディスプレイシステムを構築することができる。また、本実施形態では、ユーザが表示装置７００ａ〜７００ｄのいずれかを操作することによって、配置情報、表示位置および表示倍率を設定しているが、各設定を行う主体は特に限定されない。例えば、外部装置を用いてユーザが配置情報、表示位置および表示倍率を設定し、各表示装置は外部装置から送信される各種設定値に基づいて自機の設定値を決定してもよい。
【００７１】
なお、上述の例では、４台の表示装置を用いてマルチディスプレイシステムを構築しているが、表示装置の台数は限定されない。また、特定の表示装置または外部装置で上述の配置情報を設定する場合、その他の表示装置には配置設定部７０７が設けられていなくてもよい。また、２倍拡大表示等を行う場合、上述の実施形態２と組み合わせることで、本実施形態に係るマルチディスプレイシステムに入力される画像データ１〜４から、適切な画素を取得することができる。また、上述のマルチディスプレイシステムにおいて、１未満の表示倍率を設定可能としてもよい。例えば、表示倍率０．５倍の場合、実施形態１と同様に画像データ１〜４のいずれか１つに基づいて表示用画像を生成して、表示装置７００ａ〜７００ｄのうちいずれかの表示装置に表示を行ってもよい。また、表示倍率０．６７倍の場合、上記と同様に画像データ１〜４のいずれか１つに基づいて表示用画像を生成して、表示装置７００ａ〜７００ｄにまたがって表示を行ってもよい。
【００７２】
（実施形態４）
＜概要＞
上述の実施形態では、４Ｋ表示装置において処理可能な解像度が４Ｋである例について説明した。ここで、４Ｋ表示装置において、メモリや処理能力に余裕を持たせるため、８Ｋ画像よりも小さく、４Ｋ画像よりも大きい解像度の画像（例えば、６Ｋ画像）を生成することができるものもある。そこで、本実施形態では、Ｑｕａｄ−Ｌｉｎｋ  １２Ｇ−ＳＤＩ入力で８Ｋ画像が入力された場合に、６Ｋ画像を生成することができる４Ｋ表示装置を用いる例について説明する。このような表示装置では、画面解像度よりも大きい解像度の画像を生成することで、ネイティブ表示（表示倍率：１倍）よりも小さい表示倍率（例えば、表示倍率が０．６７倍）で表示を行った場合でも画質の劣化を抑える。実施形態１と同様の機能部については同様の番号を付し説明を省略する。
【００７３】
＜全体構成＞
図１０は、本実施形態における表示装置１０００の機能ブロック図である。表示装置１０００は、実施形態１の表示装置１００における設定部１０３、画像生成部１０４および画像処理部１０５の代わりに、設定部１００３、画像生成部１００４および画像処理部１
００５を備える。また表示装置１０００は、実施形態１の表示装置１００の各機能部に加えて画像縮小部１００７をさらに備える。
【００７４】
設定部１００３は、実施形態１における表示装置１００における設定部１０３の機能に加えて、本実施形態では、６Ｋ縮小表示（表示倍率：０．６７倍）が選択可能である。すなわち、ユーザは全体表示、６Ｋ縮小表示、ネイティブ表示および２倍拡大表示のいずれかを表示倍率として選択可能である。ここで、６Ｋ縮小表示とは、入力される８Ｋ画像のうちユーザによって設定された表示位置から５７６０×３２４０（６Ｋ）の領域を取得して生成された画像を、３８４０×２１６０（４Ｋ）に縮小して画面に表示する設定である。
【００７５】
画像生成部１００４は、信号情報取得部１０２から出力された信号情報と、設定部１００３から出力された表示位置および表示倍率とに基づいて、入力部１０１ａ〜１０１ｄから出力されたＳＤＩ信号から表示用画像を生成する機能部である。また、画像生成部１００４は、生成した表示用画像を後述する画像縮小部１００７に出力する。
【００７６】
本実施形態では、表示装置１０００が６Ｋ画像まで画像処理可能であるため、設定された表示倍率が６Ｋ縮小倍率の場合、画像生成部１００４は、４つの端子を選択して画像データ１〜４のそれぞれ一部の領域を抜き出して６Ｋ画像（表示用画像）を生成する。
【００７７】
図１１は、入力された８Ｋ画像のうち、中央領域を６Ｋ縮小表示する場合に生成される表示用画像（６Ｋ画像）および画像データ１〜４を示す。図１１の斜線部に示すように、（ｈ、ｖ）＝（４８０、２７０）から２８８０×１６２０画素分（６Ｋの半分）を画像データ１〜４からそれぞれ抜き出して、２画素ごとに並べ替えることで表示用画像を生成する。
【００７８】
画像縮小部１００７は、画像生成部１００４から出力された表示用画像が６Ｋ画像である場合に４Ｋ画像に縮小する機能部である。また、画像縮小部１００７は、縮小した表示用画像を画像処理部１００５に出力する。なお、画像生成部１００４から出力された画像が４Ｋ画像である場合は、画像縮小部１００７は、縮小処理を行わずそのまま画像処理部１００５に出力する。
【００７９】
画像処理部１００５は、設定部１００３から出力された表示位置および表示倍率に基づいて、画像縮小部１００７から出力された表示用画像に対して画像処理を施す機能部である。本実施形態では、表示倍率が０．６７倍（６Ｋ縮小表示）である場合は拡大処理を行わない。また、表示倍率が０．６７以上〜１未満ではない場合は、実施形態１と同様に切り出し処理および拡大処理を行う。
【００８０】
図１２は、表示倍率が０．６７倍である場合の本実施形態における表示用画像を示す。画像１２０１は、画像生成部１００４によって生成された表示用画像（６Ｋ画像）である。画像１２０２は、画像縮小部１００７によって縮小された表示用画像（４Ｋ画像）である。画像１２０３は、画像処理部１００５によって処理が行われた後の表示用画像（４Ｋ画像）である。ここで、上述の通り、表示倍率が０．６７倍である場合は、画像処理部１００５は拡大処理を行わない。
【００８１】
＜処理内容＞
図１３は、本実施形態に係る表示装置１０００の処理を示すフローチャートである。ＳＤＩ信号の受信（Ｓ４０１）、信号情報の取得（Ｓ４０２）は、実施形態１と同様に行われる。
【００８２】
Ｓ１３０１では、設定部１００３は、ユーザ操作に基づいて表示位置および表示倍率を設定する。本実施形態では、表示倍率として６Ｋ縮小表示が設定可能である。そして、実施形態１と同様に入力信号の規格がＱｕａｄ−Ｌｉｎｋ  １２Ｇ−ＳＤＩであるか否かが判断される（Ｓ４０４）。入力信号の規格がＱｕａｄ−Ｌｉｎｋ  １２Ｇ−ＳＤＩである場合（Ｓ４０４−Ｙｅｓ）はＳ１３０２の処理へ進み、そうでない場合（Ｓ４０４−Ｎｏ）はＳ４０９の処理へ進む。
【００８３】
Ｓ１３０２で、画像生成部１００４は、設定された表示倍率が０．６７倍（所定の値Ｔ２）以上であるか否かを判断する。設定された表示倍率が０．６７倍以上である場合（Ｓ１３０２−Ｙｅｓ）はＳ１３０３の処理へ進み、そうでない場合（Ｓ１３０２−Ｎｏ）はＳ４０７の処理へ進む。
【００８４】
ここで、所定の値Ｔ２の算出方法について説明する。表示装置１０００が、メモリや処理能力により画面解像度より大きい解像度を有する画像を生成することができる場合、以下の式に基づいて所定の値Ｔ２を求める。ここで、Ｐは表示装置１０００の画面解像度（４Ｋ）、Ｒはが画像装置１０００が処理可能な解像度（６Ｋ）を示す。Ｐ＝４Ｋ、Ｒ＝６Ｋの場合、式５よりＴ２＝０．６７となる。
【数５】
2020072331.tif 000007
【００８５】
Ｓ１３０３で、画像生成部１００４は、設定された表示倍率が１倍以上（ネイティブ表示）であるか否かを判断する。設定された表示倍率が１倍以上である場合（Ｓ１３０３−Ｙｅｓ）はＳ４０６に進み、そうでない場合（Ｓ１３０３−Ｎｏ）はＳ１３０４へ進む。
【００８６】
Ｓ１３０４で、画像生成部１００４は、４つの端子を選択し、４つの画像データ１〜４のそれぞれから一部の画素を抜き出して表示用画像（６Ｋ画像）を生成する。Ｓ１３０４で、画像縮小部１００７は、６Ｋ画像である表示用画像を４Ｋ画像に縮小する。Ｓ４０６〜Ｓ４１１の処理は上述の実施形態１と同様であるため説明を省略する。
【００８７】
以上のように、６Ｋ画像を生成可能な４Ｋ表示装置において、Ｑｕａｄ−Ｌｉｎｋ  １２Ｇ−ＳＤＩの８Ｋ画像が入力された場合に、６Ｋ画像を生成後に４Ｋ画像に縮小して表示することで画質の劣化を抑制することができる。なお、上述の実施形態２と組み合わせることで、表示位置に応じて画像データ１〜４から適切な画素を取得することができる。
【００８８】
（実施形態５）
＜概要＞
上述の実施形態１〜４では、８Ｋ画像の分割方法として２ＳＩ方式である例について説明した。本実施形態では、８Ｋ画像の分割方法としてＳＱＤ（Ｓｑｕａｒｅ  Ｄｉｖｉｓｉｏｎ）方式を用いて分割された４つの信号（画像データ）が表示装置に入力される例について説明する。なお、実施形態１と同様の機能部については、同様の符号を付して説明を省略する。
【００８９】
＜全体構成＞
図１４は、本実施形態における表示装置１４００の機能ブロック図である。表示装置１４００は、実施形態１の表示装置１００における信号情報取得部１０２、画像生成部１０４の代わりに、信号情報取得部１４０２、画像生成部１４０４を備える。
【００９０】
信号情報取得部１４０２は、入力部１０１ａ〜１０１ｄから出力されたＳＤＩ信号の信
号情報を取得し、画像生成部１４０４に出力する機能部である。本実施形態では、信号情報取得部１４０２は、取得した信号情報から、８Ｋ画像の分割方法を示す情報等を取得する。
【００９１】
画像生成部１４０４は、信号情報、表示倍率および表示位置に基づいて、入力部１０１ａ〜１０１ｄから出力されたＳＤＩ信号から表示用画像を生成し、画像処理部１０５に出力する機能部である。本実施形態では、画像生成部１４０４は、信号情報取得部１４０２から出力された信号情報に基づいて、４端子の信号における分割方式がＳＱＤ方式であるか否かを判断する。
【００９２】
本実施形態では、ＳＱＤ方式で分割された画像データ１〜４が表示装置１４００に入力される。そのため、表示倍率が１倍以上（例えば、ネイティブ表示、２倍拡大表示）である場合、画像生成部１４０４は、各画像データ１〜４のうち一部またはすべての画像データから表示位置に応じた領域を取得することで表示用画像（４Ｋ画像）を生成する。
【００９３】
また、表示倍率が１倍未満（例えば、全体表示）の場合、画像生成部１４０４は、画像データ１〜４すべてを用いて表示用画像を生成する。ここで、上述の実施形態１で説明した２ＳＩ方式と異なり、ＳＱＤ方式では、元画像を表示するには分割されたすべて画像を用いる必要があるが、４Ｋ表示装置では８Ｋの画像を処理することができない。
【００９４】
そこで、本実施形態では、画像生成部１４０４は、画像データ１〜４をそれぞれ２ＳＩ方式によって画素単位でさらに分割して、２Ｋ（１９２０×１０８０）の画像である２Ｋサブイメージ１〜４（サブ画像データ１〜４）を生成する。そして、画像生成部１４０４は、各画像データ１〜４からそれぞれ２Ｋサブイメージ１（２Ｋ画像）を抜き出して表示用画像（４Ｋ画像）を生成する。なお、各画像データから抜き出す対象は、２Ｋサブイメージ１から４のうちいずれでもよい。
【００９５】
図１５Ａ〜図１５Ｃは、本実施形態に係る表示用画像の生成方法を示す図である。図１５Ａは、表示倍率が０．５（全体表示）である場合の２Ｋサブイメージ１５１１〜１５１４および表示用画像１５１０を示す。表示用画像１５１０は、２Ｋサブイメージ１５１１〜１５１４のうちそれぞれのすべての領域に含まれる画素を用いて生成される。
【００９６】
図１５Ｂは、入力された８Ｋ画像の中央領域について表示倍率を１倍のネイティブ表示する場合の画像データ１〜４および表示用画像１５２０を示す。表示用画像１５２０は、画像データ１〜４のそれぞれから領域１５２１〜１５２４に含まれる画素を用いて生成される。
【００９７】
図１５Ｃは、入力された８Ｋ画像における右上の領域について表示倍率１倍のネイティブ表示する場合の画像データ１〜４および表示用画像１５３０を示す。表示用画像１５３０は、画像データ２の全体領域１５３１に含まれる画素を用いて生成される。なお、２倍拡大表示の場合は、ネイティブ表示と同様に表示用画像を生成して、当該表示用画像を画像処理部１０５によって拡大した画像を表示する。
【００９８】
＜処理内容＞
図１６は、本実施形態に係る表示装置１４００の処理を示すフローチャートである。ＤＩ信号の受信（Ｓ４０１）は実施形態１と同様に行われる。
【００９９】
Ｓ１６０１で、信号情報取得部１４０２は、受信したＳＤＩ信号から信号情報を取得する。そして、実施形態１と同様に、ユーザ操作に基づいて表示位置および表示倍率を設定する（Ｓ４０３）。
【０１００】
Ｓ１６０２で、画像生成部１４０４は、信号情報取得部１４０２が取得した信号情報に基づいて、表示装置１４００に入力された８Ｋ画像の分割方法がＳＱＤ方式であるか否かを判断する。ＳＱＤ方式である場合（Ｓ１６０２−Ｙｅｓ）はＳ１６０３に進み、そうでない場合（Ｓ１６０２−Ｎｏ）はＳ１６０６へ進む。
【０１０１】
Ｓ１６０３で、画像生成部１４０４は、表示倍率が１倍（所定の値Ｔ３）以上であるか否かを判断する。表示倍率が１倍以上である場合（Ｓ１６０３−Ｙｅｓ）はＳ１６０４に進み、そうでない場合（Ｓ１６０３−Ｎｏ）はＳ１６０５へ進む。
【０１０２】
Ｓ１６０４で、画像生成部１４０４は、４つの端子を選択し、画像データ１〜４のそれぞれから一部または全体に含まれる画素を抜き出して表示用画素を生成する。
【０１０３】
Ｓ１６０５で、画像生成部１４０４は、４つの端子を選択し、各画像データ１〜４から２Ｋサブイメージをそれぞれ１つに含まれる画素を抜き出して表示用画像（４Ｋ画像）を生成する。
【０１０４】
Ｓ１６０６で、画像生成部１４０４は、１つの端子を選択し、画像データ１〜４のいずれか１つを用いて表示用画像を生成する。Ｓ４０８、Ｓ４１０およびＳ４１１の処理は実施形態１と同様であるため説明を省略する。
【０１０５】
以上のように、本実施形態では、全体表示の場合は４端子を選択し、各画像データ１〜４のそれぞれから２Ｋサブイメージを１つ抜き出して表示用画像を生成する。また、ネイティブ表示と２倍拡大表示の場合は４つの端子を選択し、４つの画像データ１〜４のうち一部またはすべてに含まれる領域を抜き出して４Ｋ画像を生成する。このようにすることで、ＳＱＤ方式で分割された８Ｋ画像が表示装置に入力された場合に、ネイティブ表示と２倍拡大表示時に画質の劣化を抑えた表示することができる。
【０１０６】
なお、８Ｋ画像の分割方法がＳＱＤ方式以外の場合は、１つの端子を通じて伝送される画像データに基づいて表示用画像を生成したが、分割方法がＳＱＤ方式ではない場合は上述の実施形態１または２と同様の処理を行ってもよい。
【０１０７】
（変形例）
上述の実施形態では、所定の値Ｔ１は、画像生成部が生成可能な画像サイズ（４Ｋ）と画面解像度との比である例について説明したが、所定の値Ｔ１の値は特に限定されない。例えば、所定の値Ｔ１を、元画像の解像度（８Ｋ）と画面解像度との比（０．５）としてもよい。この場合、表示倍率が０．５倍より小さい場合は上述の実施形態と同様に画像データ１を用いて表示用画像を生成する。また、表示倍率がＴ１（０．５）より大きい場合であってネイティブ表示の表示倍率（１倍）より小さい場合は、画像データ１〜４を用いて表示用画像を生成する。このとき、画像データ１〜４のそれぞれから表示用画像のサイズに応じたサイズ（例えば、表示用画像のサイズ／４）にサンプリングした画素を取得して４Ｋの表示用画像を生成する。このようにすることで、表示倍率が０．５〜１の場合においても表示部に表示する画像の劣化を抑制することができる。なお、表示倍率がネイティブ表示の表示倍率（１倍）大きい場合は上述の実施形態と同様に表示用画像を生成する。
【０１０８】
上述の実施形態では、４Ｋ表示装置に８Ｋ画像が入力される例について説明したが、入力される画像および表示装置の画面解像度は特に限定されない。例えば、入力された信号の規格がＱｕａｄ−Ｌｉｎｋ  ３Ｇ−ＳＤＩである場合、入力される４Ｋ画像を２Ｋ表示装置で表示する際に上述した処理を適用してもよい。
【０１０９】
上述の実施形態では、表示装置単体で処理を行う例について説明したが、表示装置とは別体の表示制御装置を用いて上記処理を行ってもよい。
【０１１０】
上述の実施形態では、表示装置の入力として４つの端子を用いたが、入力端子の数は特に限定されない。また、端子（ケーブル）を用いずに、例えば無線通信等を用いて画像（動画を含む）を取得してもよい。
【０１１１】
（その他）
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【符号の説明】
【０１１２】
１００：表示装置        １０１ａ〜１０１ｄ：入力部      １０３：設定部
１０４：画像生成部      １０５：画像処理部
【図１】
2020072331.tif 000008
【図２Ａ】
2020072331.tif 000009
【図２Ｂ】
2020072331.tif 000010
【図２Ｃ】
2020072331.tif 000011
【図３】
2020072331.tif 000012
【図４】
2020072331.tif 000013
【図５】
2020072331.tif 000014
【図６Ａ】
2020072331.tif 000015
【図６Ｂ】
2020072331.tif 000016
【図６Ｃ】
2020072331.tif 000017
【図６Ｄ】
2020072331.tif 000018
【図７】
2020072331.tif 000019
【図８】
2020072331.tif 000020
【図９】
2020072331.tif 000021
【図１０】
2020072331.tif 000022
【図１１】
2020072331.tif 000023
【図１２】
2020072331.tif 000024
【図１３】
2020072331.tif 000025
【図１４】
2020072331.tif 000026
【図１５Ａ】
2020072331.tif 000027
【図１５Ｂ】
2020072331.tif 000028
【図１５Ｃ】
2020072331.tif 000029
【図１６】
2020072331.tif 000030
【図１７】
2020072331.tif 000031